(57)【要約】【課題】  観測容器の内容積を最小にするために窓板の外側でシールするようにしたシール機構であって、従来において予想された漏れ発生と言う問題を解決した新規のシール機構の提供を図ったものである。【解決手段】  窓板５を備えかつこれの密閉固定を窓板押さえ金具６の容器本体１に対する螺子込み力に依存するように構成した流通観測用容器を対象とするシール機構であって、窓板押さえ金具６の外周縁依り部分にワッシャー状外側シール押さえａを合致させ、当該窓板押さえ金具６の内径縁部分に縁取り状シール押さえｄを嵌着し、圧力により膨張しシール性が増す断面Ｃ型のリングパッキングを用いた外側シールｂと、圧力により膨張しシール性が増す断面Ｃ型のリングパッキングを用いた内側シールｃとを、その開口縁側を互いに対向させた状態で、上記両シール押さえａ，ｄの間にして窓板５の縁部の外側及び内側に夫々位置させた状態で収装するように構成したシール機構。【選択図】図３
2005189139.tif 000002
【特許請求の範囲】
【請求項１】
窓板(５)を備えかつこれの密閉固定を窓板押さえ金具(６)の容器本体(１)に対する螺子込み力に依存するように構成した流通観測用容器を対象とするシール機構であって、窓板押さえ金具(６)の外周縁依り部分にワッシャー状外側シール押さえ(ａ)を合致させ、当該窓板押さえ金具(６)の内径縁部分に縁取り状シール押さえ(ｄ)を嵌着し、圧力により膨張しシール性が増す断面Ｃ型のリングパッキングを用いた外側シール(ｂ)と、圧力により膨張しシール性が増す断面Ｃ型のリングパッキングを用いた内側シール(ｃ)とを、その開口縁側を互いに対向させた状態で、上記両シール押さえ(ａ，ｄ)の間にして窓板(５)の縁部の外側及び内側に夫々位置させた状態で収装するように構成したことを特徴とするシール機構。
【請求項２】
外側シール(ｂ)と内側シール(ｃ)とを、インコネル素材に金メッキを施した断面Ｃ字状を呈するリングパッキングとしたことを特徴とする請求項１に記載のシール機構。
【請求項３】
ワッシャー状外側シール押さえ(ａ)、縁取り状シール押さえ(ｄ)、並びに、窓板押さえ金具(６)を金属材料製として成る請求項１または請求項２に記載のシール機構。
【発明の詳細な説明】
【技術分野】
【０００１】
本発明は主として、流通観測用容器における透明資材製の窓板に対して、これを密閉固定するために用いるシール機構に関する。
【背景技術】
【０００２】
観測用試料である溶液を容器内に注入し、これを流通させながら流通試料に光を通過させてその流通状態を観測するためのものとして、流通観測用容器という実験器具が存在する。  すなわち、流体が流れている様子や、二つの流体が混合する様子を観測することは、新しいプロセスを構築する際には極めて重要な要素である。  そして、これを観測するためには、流路を可視化することが必要不可欠である。（例えば特許文献１に記載されている微小内容観測容器参照）
また、上記した観測のための窓板をシールするための手段として、リング状シールパッキングをインコネル素材で形成し、これに金メッキを施してなる表裏両面間に空間を設けた中空構造リングとしたパッキング(特許文献２に記載されているシール機構参照)がある。
【特許文献１】特願２００２−３１３５８０号
【特許文献２】特許第３３５４８８６号
【０００３】
従来、流通観測用容器における透明資材製の窓板に対するシールは、図４に示すように窓板Ｒの内側にシール機構Ｓを設けることが一般に行われていた。  然し乍、このような方式であるとシール機構Ｓの分だけ余計な空間Ｔが出来てしまい、流体通路の内容積を小さくしたい場合の支障となる、と言うような問題を伴った。
なお、図４においてＵは容器本体、Ｖは当該本体Ｕに螺子込んだ覗き窓用押さえ金具であって、その螺子込み力に基づき窓板Ｒに対する固定化を図るように構成されている。
【０００４】
然し乍、上記のような問題を伴う従来技術であっても、図５に矢印で示すように圧力の流れが生じるため、窓板Ｒの内面側にあるシール機構Ｓは、当該圧力に基づきこれが潰されるような作用を呈しその密閉性が高められる、というような効果を備えている。
【０００５】
なぜならば、例えば図６に示すように、窓板Ｒの外側でシールをした場合、当該窓板Ｒの外側に同図に矢印で示すような二つの方向に対する圧力の流れが生じ、そのために、シールＡとシールＢの両方のシールを施す必要が生じることとなる。
【０００６】
すなわち、図７に示すように、一見、一つのシールＣだけで良さそうであるが、この場合は覗き窓用押さえ金具Ｖの容器本体Ｕに対する螺合部分に施すシールが必要となり、従って、図６に示す場合の問題を解決する手段とはならない。
【発明の開示】
【発明が解決しようとする課題】
【０００７】
図６に示す従来例の場合、そのシールＡ，Ｂの加工精度を上げてみても両者の高さを一致させることは極めて困難であり、高さ調節のために金パッキングの挟み込みなどを施しても、漏れを生じてしまう可能性が極めて高いものである。
本発明が解決しようとする課題は、観測容器の内容積を最小にするために窓板の外側でシールするようにしたシール機構であるにも係わらず、上記したような漏れ発生という課題を解決したものである。
【課題を解決するための手段】
【０００８】
本発明は、窓板５を備えかつこれの密閉固定を窓板押さえ金具６の容器本体１に対する螺子込み力に依存するように構成した流通観測用容器を対象とするシール機構であって、窓板押さえ金具６の外周縁依り部分にワッシャー状外側シール押さえａを合致させ、当該窓板押さえ金具６の内径縁部分に縁取り状シール押さえｄを嵌着し、圧力により膨張しシール性が増す断面Ｃ型のリングパッキングを用いた外側シールｂと、圧力により膨張しシール性が増す断面Ｃ型のリングパッキングを用いた内側シールｃとを、その開口縁側を互いに対向させた状態で、上記両シール押さえａ，ｄの間にして窓板５の縁部の外側及び内側に夫々位置させた状態で収装するように構成したシール機構に係る。
そして、外側シールｂと内側シールｃとを、金メッキされたインコネル素材に金メッキを施した断面Ｃ字状を呈するリングパッキングとすることと、ワッシャー状外側シール押さえａ、縁取り状シール押さえｄ、並びに、窓板押さえ金具６を金属材料製とすることを実施の態様とするものである。
【発明の効果】
【０００９】
本発明に係るシール機構は、観測容器の内容積を最小にするために窓板の外側でシールするようにしたシール機構であるにもかかわらず、従来のような漏れ発生という問題が全く解消される。
そして、本発明シール機構を採用した試作器における試験で、常温常圧から５００℃、５０ＭＰａへの昇温昇圧、及び常温常圧への降温降圧を繰り返し行ったが、柔軟性のあるＣ型を呈する外側シールｂと内側シールｃの作用で、漏れの無い良好なシール作用を保持していることが確認された。
【発明を実施するための最良の形態】
【００１０】
図１及び図２は本発明に係るシール機構を施した流通観測用容器を表したものである。
同図において、１は容器本体であって、当該本体１には、互いに対応する試料導入管部２と試料排出管部３とが設けられている。  ２ａは当該試料導入管部２を固定するためのジョイント金具、３ａは当該試料排出管部３を固定するためのジョイント金具である。
【００１１】
上記した両管部２，３は、容器本体１の内部に収装した観測用流路形成体４に気密に連通されている。  そして、当該観測用流路形成体４はサファイア等の透明資材で製してある。
【００１２】
５は上記観測用流路形成体４に気密に重ね合わせたサファイア等の高温高圧に耐えうる資材を用いた窓板であって、当該窓板５は、容器本体１に螺子込んだ窓板押さえ金具６の先端に設けたリング部６aを、下記するシール機構を介在させた状態でこれを螺子込むことにより、その螺子込み力に基づき圧接させ、これにより当該窓板５の密閉固定を図るように構成してある。
なお、当該窓板押さえ金具６は観測用流路形成体４内を流れる流体の視覚的観測を行うための覗き金具としての使命を担っており、その先端寄りには石英等透視用透明板１０ｂが張設されている。
【００１３】
なお、図１及び図２に示す実施例は、Ｔ字混合のセットアップ型の流通観測用容器を表したため、図１に示すように容器本体１の側面側から試料を導入できるようにするために第２試料導入管部の固定用たるジョイント金具７ａが設けられている。  然し乍、本発明は流通観測用容器における当該観測用流路形成体４に重合させる窓板５に対するシール機構に関するものである。  従って、流通観測用容器自体の構成は特に限定されるものではない。  換言すれば、窓板５を備えかつこれの密閉固定を観測用流路形成体４の螺子込み力に依存するように構成した流通観測用容器であれば、すべて本発明の実施対象とされる。
【００１４】
図３は本発明に係るシール機構を表した説明用断面図である。  同図においてａはワッシャー状外側シール押さえであって、窓板押さえ金具６の外周縁依り部分に合致させるようにして位置させてある。  ｄは当該窓板押さえ金具６の内径縁部分に嵌着した縁取り状シール押さえである。  ｂは断面Ｃ字状を呈する外側シール、ｃは断面Ｃ字状を呈する内側シールであって、両シールｂ，ｃはその開口縁側を互いに対向させた状態で、上記両シール押さえａ，ｄの間にして窓板５の縁部の外側及び内側に夫々位置させた状態で収装してある。  上記した外側シールｂと内側シールｃであるが、これは、圧力により膨張しシール性が増す断面Ｃ型のリングパッキングを用いることにより良好なるシール作用を発揮させることが重要である。
【００１５】
上記したワッシャー状外側シール押さえａ、縁取り状シール押さえｄ、並びに、窓板押さえ金具６に関しては、使用温度、使用圧力に耐える必要から金属製とすることが要求されるが、これ以外の制限性は存在しない。  然し乍、断面Ｃ字状を呈する外側シールｂと断面Ｃ字状を呈する内側シールｃに関しては、柔軟性と耐腐食性の観点から、金メッキされたインコネルの使用が望ましい。
【００１６】
本発明に係るシール機構を採用した試作器における試験で、常温常圧から５００℃、５０ＭＰａへの昇温昇圧、及び常温常圧への降温降圧を繰り返し行ったが、柔軟性のあるＣ型を呈する外側シールｂと内側シールｃの作用で、漏れの無い良好なシール作用を保持していることが確認された。
【図面の簡単な説明】
【００１７】
【図１】本発明に係るシール機構を採用した流通観測用容器の正面図である。
【図２】図２におけるＸ−Ｘ線縦断面図である。
【図３】本発明の要部を表した説明用断面図である。
【図４】従来のシール機構を表した説明用断面図である。
【図５】上記シール機構にかかる力を矢印で示した説明用断面図である。
【図６】他の従来シール機構を表した説明用断面図である。
【図７】もう一つの他の従来シール機構を表した説明用断面図である。
【符号の説明】
【００１８】
１  容器本体
２  試料導入管部
2a  ジョイント金具
３  試料排出管部
3a  ジョイント金具
４  観測用流路形成体
５  窓板
６  窓板押さえ金具
6a  リング部
6b  透視用透明板
ａ  ワッシャー状外側シール押さえ
ｂ  外側シール
ｃ  内側シール
ｄ  縁取り状シール押さえ
【図１】
2005189139.tif 000003
【図２】
2005189139.tif 000004
【図３】
2005189139.tif 000005
【図４】
2005189139.tif 000006
【図５】
2005189139.tif 000007
【図６】
2005189139.tif 000008
【図７】
2005189139.tif 000009